(57)【要約】【課題】  異常が発生したときにその異常を確認済みか未確認かを判別でき、しかも異常発生中の機器で別の異常が発生したときに、その異常を画面上でユーザに通知することができる機器管理システムを実現する。【解決手段】  プラントに存在する機器を管理する機器管理システムにおいて、プラントに存在する機器を画面表示する機器表示手段と、診断結果が異常の機器に対して画面上で異常確認操作をする操作手段と、機器の診断結果が異常となったときに、異常を未確認の機器と前記操作手段で異常確認済の機器の異常表示形態を変える診断結果表示手段とを有する。【選択図】                    図１
2005352797.tif 000002
【特許請求の範囲】
【請求項１】
プラントに存在する機器を管理する機器管理システムにおいて、
プラントに存在する機器を画面表示する機器表示手段と、
診断結果が異常の機器に対して画面上で異常確認操作をする操作手段と、
機器の診断結果が異常となったときに、異常を未確認の機器と前記操作手段で異常確認済の機器の異常表示形態を変える診断結果表示手段と、
を有することを特徴とする機器管理システム。
【請求項２】
前記診断結果表示手段は、診断異常を未確認の機器にはマークを点滅表示し、異常を未確認の機器に前記操作手段で異常確認操作がされたときに前記マークの点滅表示を止めることを特徴とする請求項１に記載の機器管理システム。
【請求項３】
前記診断結果表示手段は、前記操作手段で異常確認操作がされた機器に新たな異常が発生したときは、機器の異常表示を異常未確認の表示形態に戻すことを特徴とする請求項１または２に記載の機器管理システム。
【請求項４】
前記診断結果表示手段は、点検予定日から指定日数前になった機器にマークを点滅表示し、この機器に対して前記操作手段で確認操作がされると前記マークの点滅表示を止めることを特徴とする請求項１に記載の機器管理システム。
【請求項５】
前記診断結果表示手段は、点検予定日になった機器にマークを点滅表示し、この機器に対して前記操作手段で確認操作がされるとマークの点滅表示を止めることを特徴とする請求項１に記載の機器管理システム。
【請求項６】
前記点検予定日から指定日数前になった機器に点滅表示するマークの色と、前記点検予定日になった機器に点滅表示するマークの色とを異なる色にしたことを特徴とする請求項４または５に記載の機器管理システム。
【請求項７】
前記機器表示手段は、プラントに存在する機器をプラント階層に分けてツリー構造にして画面表示することを特徴とする請求項１乃至７のいずれかに記載の機器管理システム。
【発明の詳細な説明】
【技術分野】
【０００１】
本発明は、プラントに存在する機器を管理する機器管理システムに関するものである。
【背景技術】
【０００２】
機器管理システムでは機器をプラント階層と呼ばれるツリー構造で体系立てて管理できる。また、機器に対して診断を行った結果を表示する機能がある。
【０００３】
図６は従来における機器管理システムの構成例を示した図である。
図６で、診断手段１０はプラント２０に存在する機器を診断する。プラント２０は、例えば石油化学、鉄鋼、紙パルプ、食品、薬品、電力等のプラントである。
プラント２０に存在する機器は、例えば温度、圧力、液位等のプロセス値を検出するセンサ機器、バルブを制御するバルブポジショナ等である。
【０００４】
記憶手段３０は、診断手段１０の診断結果情報３１、プラントに存在する機器のタグ名、機器ＩＤ、通信形式等を示す機器情報３２、プラント階層をツリー構造で体系立てて示した階層情報等を格納する。診断結果情報３１は、図に示すように機器ＩＤと機器異常の有無を示すフラグを対応させた情報になっている。機器異常のフラグが「１」のときは異常、「０」のときは正常である。図の例では、機器ＦＶ１００は異常、ＰＶ１００は正常である。診断手段１０は診断結果が正常なときはフラグを「０」とし、異常のときは「１」とする。
【０００５】
機器表示手段４０は、プラント２０に存在する機器をプラント階層に分けてツリー構造で表示手段４１に画面表示する。
診断結果表示手段４２は、診断手段１０の診断結果を表示手段４１に表示する。
【０００６】
図７は従来における機器管理システムの表示画面例を示した図である。
図７で、診断異常のある機器には機器のアイコンに「！」マークが表示される。正常な機器には「！」マークは表示されない。図の例では、機器YTA320(Spare)、EJA-03(Spare) 、YF100E-201K(Spare)には「！」マークが表示される。YTA(Spare)には「！」マークは表示されない。
【０００７】
特許文献１には、プラントに使用される制御機器の状態を表示する機器監視装置が記載されている。
【０００８】
【特許文献１】特開平６−２７４２９８号公報
【発明の開示】
【発明が解決しようとする課題】
【０００９】
図６の従来例では次の問題点があった。
（ａ）機器の診断結果は正常と異常の２つのみである。このため、ユーザは異常が発生しているかどうかを判別することは可能だが、その異常を確認済みか未確認かを判別することはできなかった。これにより、ユーザは異常発生時に、その異常を確認済みか未確認かを判断ミスすることがある。また、未確認の異常を見逃すことがある。
（ｂ）異常発生中の機器に、新たに別の異常が発生したとき、その発生をネットワークビュー画面でユーザへ通知することができない。
【００１０】
本発明は上述した問題点を解決するためになされたものであり、機器の診断結果を、正常、確認済の異常、未確認の異常で表示することによって、異常が発生したときにその異常を確認済みか未確認かを判別でき、しかも異常発生中の機器で別の異常が発生したときに、その異常を画面上でユーザに通知することができる機器管理システムを実現することを目的とする。
【課題を解決するための手段】
【００１１】
このような課題を達成するために、本発明は次のとおりの構成になっている。
（１）プラントに存在する機器を管理する機器管理システムにおいて、
プラントに存在する機器を画面表示する機器表示手段と、
診断結果が異常の機器に対して画面上で異常確認操作をする操作手段と、
機器の診断結果が異常となったときに、異常を未確認の機器と前記操作手段で異常確認済の機器の異常表示形態を変える診断結果表示手段と、
を有することを特徴とする機器管理システム。
【００１２】
（２）前記診断結果表示手段は、診断異常を未確認の機器にはマークを点滅表示し、異常を未確認の機器に前記操作手段で異常確認操作がされたときに前記マークの点滅表示を止めることを特徴とする（１）に記載の機器管理システム。
【００１３】
（３）前記診断結果表示手段は、前記操作手段で異常確認操作がされた機器に新たな異常が発生したときは、機器の異常表示を異常未確認の表示形態に戻すことを特徴とする（１）または（２）に記載の機器管理システム。
【００１４】
（４）前記診断結果表示手段は、点検予定日から指定日数前になった機器にマークを点滅表示し、この機器に対して前記操作手段で確認操作がされると前記マークの点滅表示を止めることを特徴とする（１）に記載の機器管理システム。
【００１５】
（５）前記診断結果表示手段は、点検予定日になった機器にマークを点滅表示し、この機器に対して前記操作手段で確認操作がされるとマークの点滅表示を止めることを特徴とする（１）に記載の機器管理システム。
【００１６】
（６）前記点検予定日から指定日数前になった機器に点滅表示するマークの色と、前記点検予定日になった機器に点滅表示するマークの色とを異なる色にしたことを特徴とする（４）または（５）に記載の機器管理システム。
【００１７】
（７）前記機器表示手段は、プラントに存在する機器をプラント階層に分けてツリー構造にして画面表示することを特徴とする（１）乃至（７）のいずれかに記載の機器管理システム。
【発明の効果】
【００１８】
以上説明したことから明らかなように、本発明によれば次のような効果がある。
（１）機器の状態を「正常」、「異常（未確認）」、「異常（確認済）」に分けて表示することができる。これによって、ユーザは、機器に異常発生時に、異常を確認済か、未確認かを容易に判別することができる。ユーザが異常を確認済みか未確認かを判断ミスすることを防止できる。また、未確認の異常を見逃すことを防止できる。
（２）異常が発生し、確認済の機器に対して、さらに別の要因で異常が生じた場合、再び「異常（未確認）」の表示を行う。これによって、ユーザは新たな異常を見つけることができる。
（３）機器をプラント階層に分けてツリー構造にして表示したツリービューの中で未確認の機器異常を表現できる。
（４）未確認の異常を視覚に訴える点滅表示にするため、ユーザの見落としを低減できる。
【発明を実施するための最良の形態】
【００１９】
以下、図面を用いて本発明を詳細に説明する。
図１は本発明の一実施例を示す構成図である。図１で前出の図と同一のものは同一符号を付ける。
【００２０】
記憶手段５０は、診断結果情報５１、機器情報３２、プラント階層をツリー構造で体系立てて示した階層情報等を格納する。
操作手段６０は、診断結果が異常の機器に対して画面上で異常確認操作をする手段である。操作手段６０は、例えばマウス、キーボード等である。
診断結果表示手段７０は、機器の診断結果を表示手段４１に表示する。診断結果表示手段７０は、機器の診断結果が異常となったときに、異常を未確認の機器と前記操作手段で異常確認済の機器の異常表示形態を変える。すなわち、診断結果表示手段７０は、機器の診断結果が異常となったときに、異常を未確認の機器は所定の表示形態で異常表示し、異常を未確認の機器に操作手段６０で異常確認操作がされたときに異常表示の形態を変える。
【００２１】
診断結果情報５１は、図に示すように機器ＩＤ、機器異常の有無を示すフラグ、要確認を示すフラグを対応させた情報になっている。機器異常のフラグが「１」のときは異常、「０」のときは正常である。機器に発生した異常状態を未確認のときは要確認のフラグが「１」、確認済のときは「０」になる。
図の例では、機器ＦＶ２００は機器異常が発生して確認済、ＰＶ２００は機器異常が発生して未確認、ＰＶ３００は正常である。
【００２２】
診断手段１０は診断結果が正常なときは機器異常のフラグを「０」とし、異常のときは「１」とする。画面上で異常表示されている機器に対して、操作手段６０で異常確認操作がされると、要確認のフラグが「０」となる。異常確認操作がされていないと、要確認のフラグが「１」となる。
診断結果表示手段７０は、機器異常のフラグと要確認のフラグに基づいて機器の診断結果を表示手段４１に表示する。
【００２３】
図２は図１の機器管理システムの表示画面例を示した図である。
図２で、診断異常が新規に発生したときにはユーザの確認操作を受けていないので、異常表示８０に示すように機器のアイコンに付加した「！」マークが点滅する。
点滅した「！」マークにユーザが確認操作をすると、異常表示８１に示すように「！」マークの点滅が止まる。
正常な機器には正常表示８２に示すように、機器のアイコンには「！」マークは表示されない。
【００２４】
図３は図１の機器管理システムの表示手順を示した説明図である。
図３の（ａ）〜（ｆ）の手順に従って説明する。
（ａ）診断手段１０は、プラントに存在する機器１１からデータを収集し、診断をする。
（ｂ）診断手段１０は、機器に異常を検出したら、「機器異常」と「要確認」のフラグをオン（図１の例では「１」）にする。
（ｃ）診断結果表示手段７０は、「機器異常」と「要確認」のフラグの両方がオンのため、画面上に「！」マークを点滅表示させる。
（ｄ）操作手段６０により右クリックメニューから「確認」を実行する。
（ｅ）「確認」を実行することにより、診断結果情報５１にある「要確認」のフラグがオフ（図１の例では「０」）になる。
（ｆ）診断結果表示手段７０は、「要確認」のフラグがオフなので「！」マークの点滅を止める。
【００２５】
確認済の機器に対して、さらに別の要因で診断異常が発生した場合、診断手段１０は「要確認」のフラグを再びオンにする。このため、再び画面を開いたとき、機器のアイコン部分に表示されている「！」マークが点滅することで、ユーザは新たな機器異常を見つけることができる。
【００２６】
このようにして機器の状態を「正常」、「異常（未確認）」、「異常（確認済）」の３つで管理する。
なお、これ以外の表示形態で機器の状態を表示してもよい。
【００２７】
図４は図１の機器管理システムの他の表示画面例を示した図、図５は表示状態の経時的変化を示した図である。
図４で、機器の点検予定日から指定日数前にまで近付くと、青色の「？」マーク９０が点滅表示される。操作確認をすると、点滅は止まる。
点検予定日の当日以降、ユーザの確認操作を受けるまで、赤色の「？」マーク９１が点滅表示される。
ユーザの確認操作を受けた赤色の「？」マーク９２は点滅が止まる。
点検予定日まで指定日数以上あるとき、または、点検が終了し承認されたとき、「？」マークは消える。
【００２８】
このように、点検予定日から指定日数前になった機器に点滅表示するマークの色と、点検予定日になった機器に点滅表示するマークの色とを異なる色にした。
【００２９】
このように表示することによって、点検の見落としを低減できる。また、点検状況を容易に判別できる。
【図面の簡単な説明】
【００３０】
【図１】本発明の一実施例を示す構成図である。
【図２】図１の機器管理システムの表示画面例を示した図である。
【図３】図１の機器管理システムの表示手順を示した説明図である。
【図４】図１の機器管理システムの他の表示画面例を示した図である。
【図５】図５は表示状態の経時的変化を示した図である。
【図６】従来における機器管理システムの構成例を示した図である。
【図７】従来における機器管理システムの表示画面例を示した図である。
【符号の説明】
【００３１】
１０  診断手段
２０  プラント
４０  機器表示手段
４１  表示手段
６０  操作手段
７０  診断結果表示手段
【図１】
2005352797.tif 000003
【図２】
2005352797.tif 000004
【図３】
2005352797.tif 000005
【図４】
2005352797.tif 000006
【図５】
2005352797.tif 000007
【図６】
2005352797.tif 000008
【図７】
2005352797.tif 000009